(57)【要約】      （修正有）【課題】見やすく使いやすい拡大ホームページシステムを提供する。【解決手段】ホームページの画面を上下、左右に画面を展開表示させることにより、上下スクロール、左右スクロールで１画面に収まらない文書や画像を表示制御する方法を活用する。画面の左端の上下に質問を順番に並べて表示し、その各質問に対する回答を右側に順に並べて表示することにより、左端の列を上下にスクロール操作することのみで目的の質問を容易に見つけることが出来、またその質問に対する回答は、右にスクロールすることで順次表示することが出来る。【選択図】図１
2015088148.tif 000002
【特許請求の範囲】
【請求項１】
ディスプレイ装置の表示容量を超えた文字や画像からなる仮想画面を有し、且つ複数のページからなるホームページを表示する方法において、該ページを上下及び左右に展開し表示させることを特徴とする表示方法。
【発明の詳細な説明】
【技術分野】
【０００１】  本発明は、パソコン等の情報処理装置におけるホームページの表示技術に関し、特に、拡大表示ホームページシステムに関する。
【背景技術】
【０００２】  パソコン等の情報処理装置において、複数のページからなるホームページを作成及び閲覧に於いては、文字や画像を表示しているページが巻物のようになっているので、上方が表示されているときには、下方を見るために、下方に画面をスクロールすることによって下方の画面を見ることが出来る。【０００３】  通常、画面の右端に「スクロールバー」が表示してあり、スクロールバーがページ全体を表示し、「スクロールボックス」は現在表示している位置を示している。スクロールボックスをドラッグしたり、スクロールバーの両端の矢印をクリックすることにより、表示される位置を前後に移動させることができる。【０００４】  また、「リンク」と呼ばれるツールを使って、あらかじめ特定のページと文字やアイコン（マーク）を関連付けておいて、リンクの文字やアイコンをクリックすると、表示しているホームページ内の関連するページの別な部分や別のホームページに移動し表示することが出来る。【０００５】  また、ホームページ内の分割できる内容については、分割された内容ごとに「タブ」を付加して、クリック操作で各タブごとに呼び出すこともできる。
【先行技術文献】
【特許文献】
【０００６】
【特許文献１】特開２０００−１７２４０１
【発明の概要】
【発明が解決しようとする課題】
【０００７】  しかしながら、前記従来技術においては、例えば、Ｑ（質問）＆Ａ（回答）コーナの場合を例にとると、一つの質問に対して複数の回答がある場合に、一般にその回答が質問の直下に順番に表示されている。質問によって回答の数が一定とは限らず、従って回答の数が多い場合は、次の質問がどこにあるのか予想することが難しく、単にスクロールバーの活用だけでは行き過ぎたり、戻りすぎたりして目的のページを表示させるにのが難しかった。【０００８】  リンクやタブ等の操作もホームページ作成するのに手間が係り、その分スペースをとるので数にも限界があった。本発明は１画面に収まらない文書や画像をスクロール操作により、表示制御する方法を活用して、ユーザーにとって、表示内容を把握しやすい形で容易に作成出来てしかも操作が容易で使いやすい表示方法を提供することを目的とする。
【課題を解決するための手段】
【０００９】  上記課題を解決するために、請求項１記載の方法は、ディスプレイ装置の表示容量を超えた文字や画像からなる仮想画面を有し、且つ複数のページからなるホームページを表示する方法において、該ページを上下及び左右に展開し表示させることを特徴とする表示方法である。
【発明の効果】
【００１０】  従来の縦方向のみの画面を維持したまま、横方向への画面の展開が可能となり、また複数列ページの画面表示が可能となったので、表示内容の拡張性と連続性がより高まった。【００１１】  画面構成がより整理された形で表示できるので、リンク、タブの使用を最小限に抑えられ、スペースの有効活用ができる。また、縦スクロール、横スクロール活用のみで目的の画面に容易に到達することができるし、内容がより見やすくなった。
【図面の簡単な説明】
【００１２】
【図１】本発明によるホームページの１つの具体的表示方法を示す概念図である。
【図２】図１に対応する従来方法によるホームページの表示を示す概念図である。
【図３】本発明によるの別の具体的表示方法を示す概念図である。
【図４】図３に対応する従来方法によるホームページの表示を示す概念図である。
【図５】本発明によるホームページ作成のフローチャートである。
【発明を実施するための形態】
【００１３】  以下、図面により本発明の実施形態を詳細に説明する。図１は本発明の一実施形態の概念図を示す。図２は図１に対応する従来のホームページの実施形態の概念を示す。図３は本発明の別な実施形態の概念図を示し、図４は図３に対応する従来のホームページの実施形態の概念図を示す。
【００１４】  図１にＱ（質問）＆Ａ（回答）の例が示している。太枠は現在ディスプレに表示されている実画面領域Ｒを示す。それ以外の領域部分は仮想画面領域Ｖ（点線領域）を示す。また図２に示す従来のホームページでは、上下スクロールにより仮想画面領域Ｖへ移動することができ、また最初の画面に戻ることが出来る。本発明では上下スクロール及び左右スクロールによりディスプレイに表示されている実画面領域Ｒから仮想画面領域Ｖへ移動することができ、同じく最初の画面に戻ることもできる。
【００１５】  図２に示す従来のホームページでは一般にＱ＆Ａが縦方向上から下に連続的に表示されている。太枠は現在ディスプレイに表示されている実画面領域Ｒを示す。それ以外の領域部分は仮想画面領域Ｖを示す。最上部に一番目の質問があって、それに対する回答がその下に順次表示されている。次に二番目の質問があって、同様にそれに対する回答がその下に順次表示されている。それぞれの質問に対する回答の数は一定とは限らないので、画面に現れていない次の質問がどこに出てくるのか予想がつかない。
【００１６】  一方、本発明のＱ＆Ａの例では、左端に上下に質問を順番に並べて表示し、その各質問に対する回答を右側に順に並べて表示することが出来る。従って左端の列を上下にスクロール操作のみで目的の質問を容易に見つけることが出来る。また、その質問に対する回答は、右にスクロールすることで順次表示することが出来る。
【００１７】  それぞれの質問に対する回答の数が同一でなくとも質問の位置は必ず左端一列に表示されるので質問者にとっても、回答者にとっても、それ以外の閲覧者にとっても、Ｑ＆Ａの質問、回答の位置を一目瞭然に発見することができる。
【００１８】  図３、図４に本発明の別の具体例を従来例と共に示す。図３には東北六県温泉ランキングを示す。最上段には青森県の温泉ランキングが左端から右に１位から１０位まで示されている。以下一段下がって岩手県の順位が、さらに一段下がって秋田県、以下宮城県、山形県、福島県と続く。
【００１９】  従って、上下スクロールすれば、各県の同一順位のものを瞬時に見ることが出来るし、また、左右スクロールにより、各県下位のもを見ることが出来る。一つの県の目的の順位を見つければ、上下スクロールで他県の同一順位のものを見つけることも容易である。
【００２０】  その他代表的な応用例として、スポーツ選手の動態比較、絵画等の美術品の展示、インターネットショッピングの仮想店舗などがある。スポーツ選手の動態比較では、一人の選手の連写した写真を横方向にスタートからゴールまで並べ、他の選手も同様に下段に並べて比較したりすることができる。美術品の展示では、美術館での実際の展示のように、作品を横に並べることが出来るので、展示物を実際に動きながら見ている感覚になるように表示できる。また、インターネットショッピングでは、衣料品、家具等の種類毎に上下各段に並べて仮想店舗を展示することが出来て、従来に比べて容易に商品を見つけられ極めて効率的に買い物ができる。
【００２１】  これらの縦横ページに展開するホームページを作成するには、例えば表計算ソフトのエクセル（Ｍｉｃｒｏｓｏｆｔ社製）を利用する方法が良い。具体的には、レイアウトを決めて文章はテキストエディターを用いて書きエクセルに貼り付ける。画像も貼り付けてからタグを挿入する。その後にＨＴＭＬのソースに貼り付ける。そのフローチャートを図５に示す。仮想画面領域Ｖの縦横の制限は例えばエクセルの縦横の表示制限の範囲を超えない範囲である。
【産業上の利用可能性】
【００２２】  本発明の方法のホームページの画面を上下、左右に画面を展開表示させることにより、上下スクロール、左右スクロールでホームページをより見やすく使い易くできるので、ホームページ用の表示方法として活用が期待できる。
【符号の説明】
【００２３】  Ｒ：実画面領域
Ｖ：仮想画面領域
【図１】
2015088148.tif 000003
【図２】
2015088148.tif 000004
【図３】
2015088148.tif 000005
【図４】
2015088148.tif 000006
【図５】
2015088148.tif 000007